(57)【要約】【課題】既設の取付開口部に美観を損ねることなく新たな電子機器を取り付けることができる電子機器の取構造を得る。【解決手段】本発明の電子機器の取付構造は、周縁にフランジ部５が形成され、フランジ部５の四隅にねじ挿通孔７が形成されてなる箱型の筐体３を備えた電子機器を、壁材９に形成した開口部１１に埋め込んで取り付ける電子機器の取付構造であって、フランジ部５の一辺は、ねじ挿通孔７を介して木ねじ１５をねじ込むことにより、木枠１３に固定され、フランジ部５の他辺は、壁材９の背面に配置された平板状の取付金具１７と共に壁材９を挟持することにより固定され、取付金具１７は、フランジ部５に形成されたねじ挿通孔７に対向する位置にねじ孔１９が設けられ、取付金具１７とフランジ部５の他辺とは、ねじ挿通孔７を介してねじ孔１９にねじ込まれた固定ねじ２１によって締結されて壁材９を挟持していることを特徴とするものである。【選択図】  図１
2011211100.tif 000002
【特許請求の範囲】
【請求項１】
周縁にフランジ部が形成され、前記フランジ部の四隅にねじ挿通孔が形成されてなる箱型の筐体を備えた電子機器を、壁材に形成した開口部に埋め込んで取り付ける電子機器の取付構造であって、
前記フランジ部の一辺は、前記ねじ挿通孔を介して木ねじをねじ込むことにより、前記壁材の内側に設けられた木枠に固定され、
前記フランジ部の他辺は、前記壁材の背面に配置された平板状の取付金具と共に前記壁材を挟持することにより固定され、
前記取付金具は、前記フランジ部に形成された前記ねじ挿通孔に対向する位置にねじ孔が設けられ、
前記取付金具と前記フランジ部の他辺とは、前記ねじ挿通孔を介して前記ねじ孔にねじ込まれた固定ねじによって締結されて前記壁材を挟持していることを特徴とする電子機器の取付構造。
【請求項２】
周縁にフランジ部が形成され、前記フランジ部の四隅にねじ挿通孔が形成されてなる箱型の筐体を備えた電子機器を、壁材に形成した開口部に埋め込んで取り付ける電子機器の取付構造であって、
前記フランジ部の少なくとも２辺が、前記壁材の背面に配置された平板状の取付金具と共に前記壁材を挟持することにより固定され、
前記取付金具は、前記フランジ部に形成された前記ねじ挿通孔に対向する位置にねじ孔が設けられ、
前記取付金具と前記フランジ部の２辺とは、前記ねじ挿通孔を介して前記ねじ孔にねじ込まれた固定ねじによって締結されて前記壁材と面接触した状態で前記壁材を挟持していることを特徴とする電子機器の取付構造。
【請求項３】
前記壁材に形成した開口部は、既設の電子機器を取り外したときに現われる既設開口部の一部を修復ボードによって覆い、前記既設開口部よりも開口面積を小さくしてなることを特徴とする請求項１又は２に記載の電子機器の取付構造。
【発明の詳細な説明】
【技術分野】
【０００１】
本発明は、インターホンなどの電子機器を壁面に取り付ける電子機器の取付構造に関する。
【背景技術】
【０００２】
電子機器、例えばインターホンの壁面への取付構造には大きく分けてインターホン本体を壁面上に配設する露出型と、インターホン本体を壁面に埋め込む埋込型の２つの方法がある。さらに埋込型のインターホンの取付構造には２つの方法がある。その一つは、専用もしくは汎用の埋込ボックスを石膏ボードなどの壁内に固定し、該埋込みボックスにインターホンの本体枠をねじ固定して取り付けるものである。他の一つは、壁面内に配設された木枠にインターホンの本体枠をねじ固定して取り付ける構造である。
【０００３】
埋込みボックスを用いた取付構造に関しては、電子機器を壁面にがたつきなく強固に取り付けることを目的としたものが、例えば特許文献１に開示されている。
【先行技術文献】
【特許文献】
【０００４】
【特許文献１】特開２００８−２４３９６０号公報
【発明の概要】
【発明が解決しようとする課題】
【０００５】
特許文献１に開示された埋込みボックス型のものを含め一般的な埋込みボックス型の取付構造、あるいは木枠固定型の取付構造のいずれの場合においても、以下のような問題がある。
電子機器、例えばインターホンを新型のものに新しくする場合において、インターホンの大きさ（取付ピッチ）は機器によってまちまちであり、リニューアル時に既存の取付ピッチの埋込みボックスや木枠を用いて機器を取り付けることはできない。
この点を木枠固定型の場合を例に挙げて詳細に説明する。
【０００６】
木枠固定型の場合、木枠は機器の埋込部左右または上下に設置され、そこに木ねじで電子機器の枠を固定するが、電子機器の交換前後で電子機器の左右または上下の埋込部サイズが異なり、既設の木枠を使用することができない。その場合、交換後の電子機器のサイズに合わせて新たに木枠を設置するか、電子機器を埋め込む形での設置を断念して、露出型として設置するかになる。
しかし、新たに木枠を設置する場合、木枠を固定するために壁内の左右または上下に長い距離に亘って木枠を配設しなければならず、工事が大変になるという問題がある。
【０００７】
他方、露出型として電子機器を取り付ける場合には、既設の取付開口部を隠す為、リニューアルプレート（鉄板等で既存開口を隠す部材）、または露出ボックスなどの既設の取付開口部を覆う部材を設け、その部材に機器を取り付けることになる。
しかしながら、その場合には、リニューアルプレート等が露出したり、露出ボックスが壁面から大きく露出したり、また既設取付部を覆う部材が大きくなったりする為、室内の美観を損ねるという問題がある。
【０００８】
本発明はかかる問題点を解決するためになされたものであり、電子機器の交換などのように電子機器の取り付け部の取付ピッチが変わったような場合であっても、既設の取付開口部に美観を損ねることなく新たな電子機器を取り付けることができる電子機器の取付構造を得ることを目的とする。
【課題を解決するための手段】
【０００９】
（１）本発明に係る電子機器の取付構造は、周縁にフランジ部が形成され、前記フランジ部の四隅にねじ挿通孔が形成されてなる箱型の筐体を備えた電子機器を、壁材に形成した開口部に埋め込んで取り付ける電子機器の取付構造であって、
前記フランジ部の一辺は、前記ねじ挿通孔を介して木ねじをねじ込むことにより、前記壁材の内側に設けられた木枠に固定され、前記フランジ部の他辺は、前記壁材の背面に配置された平板状の取付金具と共に前記壁材を挟持することにより固定され、
前記取付金具は、前記フランジ部に形成された前記ねじ挿通孔に対向する位置にねじ孔が設けられ、
前記取付金具と前記フランジ部の他辺とは、前記ねじ挿通孔を介して前記ねじ孔にねじ込まれた固定ねじによって締結されて前記壁材を挟持していることを特徴とするものである。
【００１０】
（２）また、周縁にフランジ部が形成され、前記フランジ部の四隅にねじ挿通孔が形成されてなる箱型の筐体を備えた電子機器を、壁材に形成した開口部に埋め込んで取り付ける電子機器の取付構造であって、
前記フランジ部の少なくとも２辺が、前記壁材の背面に配置された平板状の取付金具と共に前記壁材を挟持することにより固定され、
前記取付金具は、前記フランジ部に形成された前記ねじ挿通孔に対向する位置にねじ孔が設けられ、
前記取付金具と前記フランジ部の２辺とは、前記ねじ挿通孔を介して前記ねじ孔にねじ込まれた固定ねじによって締結されて前記壁材と面接触した状態で前記壁材を挟持していることを特徴とするものである。
【００１１】
（３）また、上記（１）または（２）に記載のものにおいて、前記壁材に形成した開口部は、既設の電子機器を取り外したときに現われる既設開口部の一部を例えば修復ボード等によって覆い、前記既設開口部よりも開口面積を小さくしてなることを特徴とするものである。
【発明の効果】
【００１２】
本発明においては、電子機器の筐体に設けられたフランジ部の一辺と既設の木枠とを固定し、他辺のフランジ部と壁材の背面に配置された平板状の取付金具とによって、壁材を挟持することにより筐体を開口部に固定するようにしたので、電子機器と開口部のサイズが異なる場合であっても、新たな木枠を設置することなく、また不要な開口部を残すことなく埋め込み型として電子機器を壁材に形成された開口部に取り付けることができる。このため、美観を損ねることなく既設の開口部に設置することができる。
【００１３】
また、本発明においては、電子機器の筐体に設けられたフランジ部と、壁材の背面に配置された平板状の取付金具とによって、壁材を挟持することにより筐体を開口部に固定するようにしたので、壁内に固定用の木枠や埋込みボックスがない場合であっても、埋め込み型として電子機器を壁材に形成された開口部に取り付けることができ、従来例のように電子機器の筐体が壁から出っ張ることがなく、美観を損ねることなく既設の開口部に設置することができる。
【図面の簡単な説明】
【００１４】
【図１】本発明の一実施の形態に係る電子機器の取付構造の説明図であり、取付構造を分解して示す斜視図である。
【図２】本発明の一実施の形態に係る電子機器の取付構造の説明図であり、本体を開口部に設置した状態の正面図である。
【図３】図２の矢視Ａ−Ａ線に沿う断面図である。
【図４】本発明の一実施の形態に係る取付金具の説明図であり、図４（ａ）が正面図、図４（ｂ）が右側面図、図４（ｃ）が平面図である。
【図５】本発明の他の実施の形態に係る電子機器の取付構造の説明図であり、取付方法を時系列で示した図である。
【発明を実施するための形態】
【００１５】
［実施の形態１］
本実施の形態に係る電子機器の取付構造を電子機器の例としてインターホンを例に挙げて、図１〜図４に基づいて本実施の形態を説明する。なお、図１、図２において本体１の内部部品の図示は省略している。
【００１６】
まず、取付対象となるインターホンの本体１について説明する。なお、本体１とは、インターホンを構成する主要部であって、カバー以外の部分である。
本体１は矩形の有底枠状の筐体３を有しており、筐体３の外周部には外方に出っ張るフランジ部５が形成されている。そして、フランジ部５の四隅には長丸状のねじ挿通孔７が、該ねじ挿通孔７の長手方向の軸線がフランジ部５の角部の両辺に交差するように斜めに形成されている。
壁材９に形成された開口部１１の片側であって壁材９の背面側には、既設のインターホンを取り付けていた木枠１３が設けられており、フランジ部５の一方の側辺部５ａはこの木枠１３に木ねじ１５によって固定される。
フランジ部５の他方の側辺部５ｂは、取付金具１７によって壁材９を挟持して固定される。
【００１７】
次に、取付金具１７について、図４に基づいて説明する。取付金具１７は、細長く、壁材より薄い略矩形状の板材によって形成されている。取付金具１７の両端には、図４に示すように、幅広部１７ａを有しており、この幅広部１７ａが壁材９の背面に当接し、フランジ部５との間で壁材９を挟持する機能を有する。幅広部１７ａにはねじ孔１９が設けられている。このねじ孔１９は雌ねじになっており、筐体３を固定するための固定ねじ２１が螺合できるようになっている。図４（ｂ）（ｃ）に示されるように、ねじ孔１９の形成された部分は肉厚に形成されており、固定ねじ２１をねじ込んだときに締め付け力を発揮できるようになっている。取付金具１７は長手方向において、フランジ部５の幅とほぼ同じ幅で形成されているが、ねじ孔１９のある上端部と下端部だけは、長手方向の幅より幅広となって幅広部１７ａが形成されている。取付金具１７の長さはフランジ部５の長さよりわずかに長く形成され、また取付金具１７にはフランジ部５に形成されたねじ挿通孔７に対向する位置にねじ孔１９が設けられている。
【００１８】
上記のような取付金具１７を用いてインターホンの本体１を壁面に取り付ける取付構造を説明する。
図１、図２に示す例は、開口部１１の片側に木枠１３がある場合であり、本体１のフランジ部５の一方の側辺部５ａを木枠１３に木ねじ１５で固定し、他方の側辺部５ｂを取付金具１７によって壁材９の開口縁部に取り付ける場合である。
【００１９】
まず、フランジ部５の他方の側辺部５ｂに取付金具１７を固定ねじ２１で仮止めする。そして、仮止めした取付金具１７とフランジ部５との隙間に開口部１１を形成している壁材９の縁部を入れるようにしてフランジ部５の他方の側辺部５ｂを設置し、フランジ部５の一方の側辺部５ａは壁材９の表面に当接させる。
この状態で、フランジ部５の一方の側辺部５ａを木ねじ１５で固定する。他方の側辺部５ｂは、壁材９を挟んだ状態で、固定ねじ２１をねじ込むことで、取付金具１７がフランジ部５側に近づき、壁材９を強固に挟持する。取付金具１７とフランジ部５ｂとは、ねじ挿通孔７を介してねじ孔１９にねじ込まれた固定ねじ２１によって締結され壁材９を挟持している。以上のようにして、本体１は開口部１１に固定される。
【００２０】
本実施の形態によれば、壁に形成された開口部１１の片側に木枠１３があり、他方の側には木枠１３が無いような場合であっても、開口部１１に埋め込み型で電子機器を取り付けることができ、従来例のようにインターホンの本体１が壁から出っ張ることがなく、意匠的にも優れたものとなる。
なお、上記の実施の形態では、開口部１１の片側に木枠１３がある場合を示したが、木枠１３が全くないような場合には、例えば本体１のフランジ部５の両側辺部を取付金具１７で壁材９に取り付けるようにすればよい。
【００２１】
［実施の形態２］
既設の大型の既設インターホンを小型の新設インターホンにリニューアルする場合の電子機器の取付構造について図５に基づいて説明する。
図５（ａ）に示す状態は、既設インターホンの本体２３が設置されている状態を示している。この状態から既設インターホンの本体２３を取り外す。既設インターホンの本体２３を取り外した状態が図４（ｂ）に示されている。
【００２２】
次に、新設インターホンの本体２５の大きさに合わせて開口部１１を小さくするために、修復ボード２７を開口部１１の一部に設置する。修復ボード２７は壁材９と面一になるように設置する。修復ボード２７を設置した状態が図４（ｃ）に示されている。
【００２３】
次に、実施の形態１で説明したように、新設インターホンの本体２５のフランジ部５の一方の側辺部５ａ（図中左側部）を木ねじ１５によって木枠１３に固定し、フランジ部５の他方の側辺部５ｂを取付金具１７によって壁材９に固定する。
壁材９に設置されている修復ボード２７は、壁材９と比べて固定力が弱いので本体２５を支持することはできないが、取付金具１７における上下方向へ延出している幅広部１７ａと本体２５のフランジ部５によって壁材９を挟持することで本体２５が壁材９に支持される。
これによって、小型の新設インターホンを埋め込み型として壁材９に設置できる。
【００２４】
以上のように、本実施の形態によれば、既設インターホンよりも小型の新設インターホンを設置する場合において、小型化した新設インターホンを、新設の場合と同様に壁に埋め込んでリニューアルできる。
実施の形態２では既設インターホンより小型の新設インターホンを設置する場合について記載したが、既設インターホンより大型の新設インターホンを設置する際にも、本発明の電子機器の取付構造は使用できる。その場合、新設インターホン本体２５の大きさに合わせて開口部を大きくするために、木枠１３を一部切除し、壁材９を新設インターホン本体２５に合わせて切り取る。この状態にしてから、新設インターホンを取り付ける。新設インターホンの固定の仕方は実施の形態１で説明した通りである。
【００２５】
なお、上記の実施の形態１、２においては電子機器の例としてインターホンを例に挙げたが、本発明が対象としている電子機器はインターホンに限られず、例えば住宅情報盤など壁面に設置される各種の電子機器を含む。
【００２６】
本発明で使用する取付金具１７は平板状なので、Ｌ字型など折れ曲がった取付金具と比べて、容易に製作できる。
また、本発明で使用する取付金具１７は両端にねじ孔１９が一つずつあり、フランジ部５のねじ挿通孔７と取付金具１７のねじ孔１９を固定ねじ２１で仮止めした状態で壁材９の開口部１１内に入れることができる。なお、開口部１１の大きさはフランジ部５に取付金具１７を装着した状態で、本体１を開口部１１に挿入できる大きさとなっている。このとき、取付金具１７は両端を２箇所仮止めされているので、固定ねじ２１を締結する際に、取付金具１７が動かないため、設置が容易である。
【００２７】
本発明においては、フランジ部５と取付金具１７を固定ねじ２１で仮止めして、仮止めしたフランジ部５と取付金具１７の間に壁材９を挟み、固定ねじ２１を締めることで壁材９を挟持し固定する。したがって、仮止めして壁材９を挟んだ後、取付金具１７は縦横方向の移動がなく、奥行き方向だけしか移動しないため、固定ねじ２１を巻く回数が少なくて良い構造にできる。
【００２８】
本発明においては、本体１のフランジ部５と取付金具１７とを仮止めした状態で、壁材９をフランジ部５と取付金具１７との間に挟むように、開口部１１に筐体３及び取付金具１７を入れる。よって取付金具１７が開口部１１より大きくても、開口部１１に対して仮止めされた本体１と取付金具１７を斜めにし、筐体３及び取付金具１７を開口部１１に入れることで、本体１のフランジ部５と取付金具１７の間に壁材９を挟むことが可能である。
本発明はフランジ部５の面と平板状の取付金具１７の面を平行に固定し、壁材９を挟持するので、フランジ部５と取付金具１７が壁材９に対して面接触となるため、点接触及び線接触の挟持よりも強固に固定される。また、取付金具１７は両端にあるねじ孔１９で固定されるため、面接触の挟持がより強固になる。
【符号の説明】
【００２９】
１  本体
３  筐体
５  フランジ部
５ａ  フランジ部の一方の側辺部
５ｂ  フランジ部の他方の側辺部
７  ねじ挿通孔
９  壁材
１１  開口部
１３  木枠
１５  木ねじ
１７  取付金具
１７ａ  幅広部
１９  ねじ孔
２１  固定ねじ
２３  既設インターホンの本体
２５  新設インターホンの本体
２７  修復ボード
【図１】
2011211100.tif 000003
【図２】
2011211100.tif 000004
【図３】
2011211100.tif 000005
【図４】
2011211100.tif 000006
【図５】
2011211100.tif 000007